(57)【要約】【課題】  構造の簡素化、部品点数及びコストの低減、意匠性の向上が図れるロール網戸を提供する。【解決手段】  建物の開口の一側部に設けられ網体２を巻取り方向に付勢された巻取軸３に巻取って収納する網体収納部４と、該網体収納部４から引き出された網体２の端部に設けられた可動框５と、前記開口の上部と下部に設けられ可動框５の両端部をスライド可能に案内するガイドレール６，７と、可動框５の両端部に設けられ各端部から突出する方向へ付勢された制動部材８，８を前記ガイドレール６，７に押し当てて可動框５を停止状態に保持する停止機構９と、前記可動框５の略中央部に設けられ回動操作により連動されて前記制動部材８，８をガイドレール６，７から引き離して可動框５の停止状態を解除する操作部１０とを備えている。【選択図】          図１
2006016815.tif 000002
【特許請求の範囲】
【請求項１】
建物の開口の一側部に設けられ網体を巻取り方向に付勢された巻取軸に巻取って収納する網体収納部と、該網体収納部から引き出された網体の端部に設けられた可動框と、前記開口の上部と下部に設けられ可動框の両端部をスライド可能に案内するガイドレールと、可動框の両端部に設けられ各端部から突出する方向へ付勢された制動部材を前記ガイドレールに押し当てて突っ張ることで可動框を停止状態に保持する停止機構と、前記可動框の略中央部に設けられ回動操作により連動されて前記制動部材をガイドレールから引き離して可動框の停止状態を解除する操作部とを備えたことを特徴とするロール網戸。
【発明の詳細な説明】
【技術分野】
【０００１】
本発明は、ロール網戸に係り、特に可動框を停止させる構造を改良したロール網戸に関する。
【背景技術】
【０００２】
従来のロール網戸としては、例えば特開２００１−２０７７５５号公報に記載されているものが知られている。このロール網戸は、網体を巻取り方向に付勢された巻取軸に巻き取って収納した収納ケースを可動框として開口部上下枠の上下枠レール間に横引きスライド可能に設け、収納ケースから引き出された網体の一端を開口部縦枠に固定し、収納ケース内に、駆動ハンドルの操作により上下枠レールを挟持又は開放することで収納ケースを左右方向へのスライド及び任意の位置での静止固定を自在とする収納ケース移動停止安全機構を設けて構成されている。
【０００３】
【特許文献１】特開２００１−２０７７５５号公報
【発明の開示】
【発明が解決しようとする課題】
【０００４】
しかしながら、前記ロール網戸においては、収納ケース移動停止安全機構が駆動ハンドルの操作による解除方向（上下方向）と、上下枠レールを挟持する保持方向（室内外方向）とが異なり、複雑な構造になっているため、部品点数の増加及びコストの上昇を余儀なくされる問題がある。また、収納ケース自体を可動框としているため、可動框が太くなってしまうと共に、その上下端部も網体の巻取り構造、調整機構、停止機構等が組込まれて大きくなってしまい、意匠性に欠ける。
【０００５】
本発明は、上記事情を考慮してなされたものであり、構造の簡素化、部品点数及びコストの低減、意匠性の向上が図れるロール網戸を提供することを目的とする。
【課題を解決するための手段】
【０００６】
本発明は、建物の開口の一側部に設けられ網体を巻取り方向に付勢された巻取軸に巻取って収納する網体収納部と、該網体収納部から引き出された網体の端部に設けられた可動框と、前記開口の上部と下部に設けられ可動框の両端部をスライド可能に案内するガイドレールと、可動框の両端部に設けられ各端部から突出する方向へ付勢された制動部材を前記ガイドレールに押し当てて突っ張ることで可動框を停止状態に保持する停止機構と、前記可動框の略中央部に設けられ回動操作により連動されて前記制動部材をガイドレールから引き離して可動框の停止状態を解除する操作部とを備えたことを特徴とする。
【発明の効果】
【０００７】
本発明によれば、建物の開口の一側部に設けられ網体を巻取り方向に付勢された巻取軸に巻取って収納する網体収納部と、該網体収納部から引き出された網体の端部に設けられた可動框と、前記開口の上部と下部に設けられ可動框の両端部をスライド可能に案内するガイドレールと、可動框の両端部に設けられ各端部から突出する方向へ付勢された制動部材を前記ガイドレールに押し当てて突っ張ることで可動框を停止状態に保持する停止機構と、前記可動框の略中央部に設けられ回動操作により連動されて前記制動部材をガイドレールから引き離して可動框の停止状態を解除する操作部とを備えているため、構造の簡素化、部品点数及びコストの低減、意匠性の向上が図れる。
【発明を実施するための最良の形態】
【０００８】
以下に、本発明を実施するための最良の形態について、添付図面を基に詳述する。図１は本発明の実施の形態であるロール網戸を概略的に示す図で、（ａ）は正面図、（ｂ）は（ａ）のＡ−Ａ線断面図、図２は図１のＢ−Ｂ線断面図、図３は可動框の停止機構の一例を示す分解斜視図、図４は可動框の縦断面図、図５は停止機構の動作を示す図で、（ａ）は保持状態の断面図、（ｂ）は解除状態の断面図である。
【０００９】
これらの図において、１は建物の開口に直接又は窓枠（サッシ枠）を介して取付けられるロール網戸で、このロール網戸１は、建物の開口（図示省略）の一側部（例えば縦枠）に設けられ、網体２を巻取り方向に付勢された巻取軸３に巻取って収納する網体収納部４と、該網体収納部４から引き出された網体２の端部に設けられた可動框５と、前記開口の上部と下部に設けられ、可動框５の両端部を左右方向にスライド可能に案内するガイドレール６，７と、可動框５の両端部に設けられ、各端部から突出する方向へ付勢された制動部材８，８を前記ガイドレール６，７に押し当てて突っ張ることで可動框５を停止状態に保持する停止機構９と、前記可動框５の略中央部に設けられ、回動操作により連動されて前記制動部材８，８をガイドレール６，７から引き離して可動框５の停止状態（保持状態）を解除する操作部１０とを備えている。
【００１０】
図２は片引き窓１１にロール網戸１を取付けた一例を示している。この片引き窓１１は、上枠（図示省略）、下枠１２ｂ及び左右の縦枠１２ｃ，１２ｄからなる窓枠（サッシ枠ともいう）１２と、該窓枠１２内の片側に設けられた嵌め殺し部（フィックスともいう）１３と、窓枠１２内にスライド開閉可能に設けられた片引き障子１４とを備えている。この片引き窓１１における嵌め殺し部１３とは反対側の縦枠１２ｃと、開放された片引き障子１４の戸先部（戸先框）との間を遮蔽するために、ロール網戸１が取付けられている。
【００１１】
前記網体収納部４は、例えば略角柱状で内部が中空のケース（収納部本体）４ａからなり、ケース４ａ内の両端部には巻取軸３の両端部を回転可能に支持する軸受が設けられ、ケース４ａ内の少なくとも一端には巻取軸３に巻取り方向の付勢力を付与する付勢手段であるバネと、そのバネ力等を調整する調整機構が設けられている（図示省略）。ケース４ａには網体２１を引き出すためのスリット１５が設けられている。図２の図示例では、縦枠１２ｃの内側面にケース４ａが設けられている。また、上下のガイドレール６，７は、窓枠１２の上枠及び下枠１２ｂに設けられている。ロール網戸２０の可動框２３には、片引き障子４の戸先部の室内面との隙間を塞いで虫の侵入を防ぐためのヒレ状の縦虫除け部材１６が設けられていることが好ましい。
【００１２】
上部のガイドレール６は横断面逆Ｕ字状で、その両側下縁部が相対向して接近して幅の狭いスリット６ａを形成している。下部のガイドレール７は横断面Ｕ字状で、その両側上縁部が相対向して接近して幅の狭いスリット７ａを形成している。
【００１３】
上下のガイドレール６，７内には網体２の上辺と下辺を案内する上下のインナーレール１７，１８がそれぞれ上下移動可能に収容されて設けられている。前記網体２の上辺と下辺には例えばバンクテープを縫い付けることにより横断面方形ないし略円形の縁部１９，１９が長手方向に沿って設けられ、上下のインナーレール１７，１８にはその縁部１９，１９を長手方向に沿ってスライド可能に支持するガイド溝１７ａ，１８ａが設けられている。縁部１９は網体２と一体に屈曲し得る弾性材により形成されている。インナーレール１７，１８は、例えば合成樹脂製又はアルミ製の形材からなっている。
【００１４】
前記ロール網戸１の可動框５は、例えばアルミ押出形材製であり、その長手方向の上端部と下端部には、前記上下のガイドレール６，７のスリット６ａ，７ａに沿ってスライド可能に係合する横断面略Ｔ字状の係合部２０ａを有する端部ピース（端部部材）２０が設けられている。端部ピース２０は、室内外方向に分解可能な合成樹脂製のケース２０ｂとカバー２０ｃからなり、端部ピース２０内に制動部材（ストッパー軸）８が所定の範囲で上下移動可能に支持されている。制動部材８を所定の範囲で上下移動可能とするため及び制動部材８の軸回りの回転を防止するために、制動部材８には軸方向に長い長穴２１が設けられ、ケース２０ｃにはその長穴に挿通されて制動部材８の上下移動を所定の範囲に規制する規制軸２２が突設されている。この規制軸２２の端部には制動部材８の横振れを規制するためのネジ２３が螺着されている。
【００１５】
前記端部ピース２０には制動部材８を突出させる方向（ガイドレール６，７に押し当てる方向）へ付勢する付勢手段である圧縮バネ２４が設けられている。上部の制動部材８は上部のガイドレール６の下面に押し当てられ、下部の制動部材８は下部のガイドレール７内の下部のインナーレール１８の上面に押し当てられている。下部の制動部材８を下部のガイドレール７の上面でなく下部のガイドレール７内のインナーレール１８の上面に押し当てるのは、押し当て面が擦れたり変色しても見えにくくするためである。上部の制動部材８を上部のインナーレール１７の下面に押し当てないのは、もし上部の制動部材８を上部のインナーレール１７の下面に押し当てると、重力で降下しているインナーレール１７を押し上げてしまい制動効果が得にくくなるためである。制動効果を上げるために、制動部材８の先端部には摩擦抵抗の大きい例えばゴム等の制動片２５が取付けられていることが好ましい。
【００１６】
前記操作部１０は、回動可能な操作レバー２６と、該操作レバー２６により回動される回動ピース２７と、該回動ピース２７によって互いに反対の上下方向に操作される一組のスライドピース２８，２８と、各スライドピース２８，２８と制動部材８，８を連結する連動部材（例えば連動棒）２９，２９とを備えている。具体的には、操作部１０は可動框５の室内面に取付けられる合成樹脂製のケース部３０を有し、このケース部３０に、操作レバー２６の支軸２６ａに嵌合されて一体に回動する回動ピース２７と、スライドピース２８，２８と、操作レバー２６を図１の（ａ）に仮想線で示す操作位置から図１の（ｂ）に実線で示す非操作位置（待機位置）に復帰させる付勢手段である復帰バネ３１とが設けられている。ケース部３０の裏面にはプレート３２がネジ３３で固定され、このプレート３２の軸穴３４に対して前記操作レバー２６の支軸２６ａがワッシャー３５及びネジ３６により回動可能に支持されている。
【００１７】
操作性の向上を図るために、操作レバー２６の近傍には固定レバー３７が設けられていることが好ましい。図５の（ｂ）に示すように片手で操作レバー２６と固定レバー３７を摘んで操作レバー２６を下方へ回動操作することにより停止状態を解除でき、この解除状態で可動框５を左右方向にスライド操作（網戸を開閉操作）することができ、図５の（ａ）に示すように操作レバー２６を解放して非操作位置に復帰させることにより停止機構９の制動部材８を突出作動させて停止状態（保持状態）にすることができるようになっている。前記スライドピース２８，２８と連動部材２９，２９の連結部には網戸停止状態で初期遊びを有する構造、例えばスライドピース２８に突設された突軸２８ａに対し、連動部材２９には突軸２８ａが所定の遊びを持って嵌合する長穴状の係合穴３８が設けられ、これにより上下枠ないし上下のガイドレール６，７の施工のばらつきを吸収できるようになっている。前記プレート３２には突軸２８ａを移動可能に挿通する切欠部３９が設けられ、可動框５の室内面には突軸２８ａを移動可能に挿入する開口部４０が設けられている。
【００１８】
以上の構成からなるロール網戸１によれば、建物の開口の一側部に設けられ、網体２を巻取り方向に付勢された巻取軸３に巻取って収納する網体収納部４と、該網体収納部４から引き出された網体２の端部に設けられた可動框５と、前記開口の上部と下部に設けられ可動框５の両端部をスライド可能に案内するガイドレール６，７と、可動框５の両端部に設けられ、各端部から突出する方向へ付勢された制動部材８，８を前記上下のガイドレール６，７の対向面に押し当ててその突っ張り作用で可動框５を停止状態に保持する停止機構９と、前記可動框５の略中央部に設けられ、回動操作により連動されて前記制動部材８，８をガイドレール６，７から引き離して可動框５の停止状態を解除する操作部１０とを備えているため、構造の簡素化、部品点数及びコストの低減、意匠性の向上が図れる。
【００１９】
すなわち、このロール網戸１においては、操作部１０の操作により停止機構９を解除する解除方向（上下方向）と、停止機構９の制動部材８，８を上下のガイドレール６，７に押し当てて保持する保持方向（上下方向）とが同一である（統一されている）ため、構造の簡素化が図れ、部品点数及びコストの低減が図れる。また、網体収納部４を可動框５に設けるのではなく開口一側部に配置したので、可動框５を細く（スリム化）することができると共に、可動框５の両端部も停止機構９の制動部材８を突っ張り方式にすることより簡素化して小型化でき、意匠性の向上が図れる。
【００２０】
前記上下のガイドレール６，７には網体２の両側縁部１９，１９を案内するインナーレール１７，１８が上下移動可能に設けられているため、網体２が風等に煽られてガイドレール６，７から外れて隙間が発生するのを防止することができる。また、上部の制動部材８は上部のガイドレール６の下面に押し当てられるため、重力で降下しているインナーレール１７の下面に押し当てるよりも突っ張り力（制動力ないし保持力）を効かせることができ、下部の制動部材８は下部のインナーレール１８の上面に押し当てられるため、下部のガイドレール７の上面に押し当てる場合よりも押し当て面が擦れたり変色しても見えにくくすることができ、意匠性の向上が図れる。
【００２１】
可動框５の両端部には該両端部を上下のガイドレール６，７にスライド可能に係合する係合部２０ａを有する端部ピース（端部部材）２０，２０が設けられ、該端部ピース２０，２０には制動部材８，８が上下移動可能に設けられていると共に、該制動部材８，８をガイドレール６，７に押し当てる方向に付勢する付勢手段である圧縮バネ２４，２４が設けられているため、可動框５の両端部に停止機構９を容易に組込むことができ、構造の簡素化が図れる。
【００２２】
操作部１０は、回動可能な操作レバー２６と、該操作レバー２６によって回動される回動ピース２７と、該回動ピース２７によって互いに反対の上下方向に操作される一組のスライドピース２８，２８と、各スライドピース２８，２８と制動部材８，８を連結する連動部材２９，２９とを備えているため、簡単な構成で解除操作力を停止機構９の制動部材８に伝えることができる。また、操作レバー２６の近傍に固定レバー３７が設けられているため、操作性の向上が図れる。スライドピース２８と連動部材２９の連結部が網戸停止状態で初期遊びを有する構造とされているため、上下枠ないしガイドレール６，７の施工のばらつきを吸収できる。
【００２３】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、本発明のロール網戸は、窓枠内の中央部に嵌め殺し部を設け、窓枠内の両袖部に片引き障子をスライド開閉可能に設けた中央嵌め殺し両袖片引き窓やその他の窓サッシにも適用可能である。
【図面の簡単な説明】
【００２４】
【図１】本発明の実施の形態であるロール網戸を概略的に示す図で、（ａ）は正面図、（ｂ）は（ａ）のＡ−Ａ線断面図である。
【図２】図１のＢ−Ｂ線断面図である。
【図３】可動框の停止機構の一例を示す分解斜視図である。
【図４】可動框の縦断面図である。
【図５】停止機構の動作を示す図で、（ａ）は保持状態の断面図、（ｂ）は解除状態の断面図である。
【符号の説明】
【００２５】
１  ロール網戸
２  網体
３  巻取軸
４  網体収納部
５  可動框
６，７  ガイドレール
８  制動部材
９  停止機構
１０  操作部
【図１】
2006016815.tif 000003
【図２】
2006016815.tif 000004
【図３】
2006016815.tif 000005
【図４】
2006016815.tif 000006
【図５】
2006016815.tif 000007